(57)【特許請求の範囲】
【請求項１】
基地局と移動機との間で送受信されるべき信号を受信し、増幅し、送信するブースターであって、
前記基地局から前記移動機への下り信号を増幅する下り可変増幅器及び前記移動機から前記基地局への上り信号を増幅する上り可変増幅器と、
前記基地局が送信した基準信号を受信し、この基準信号の前記ブースターにおける受信電力を測定する基準信号受信測定手段と、
前記基準信号の前記基地局における送信電力の情報を受信する送信電力情報受信手段と、
前記上り信号増幅手段により増幅された上り信号の前記ブースターにおける雑音電力を測定する雑音電力測定手段と、
前記基準信号の前記基地局における送信電力、前記基準信号の前記ブースターにおける受信電力及び前記増幅された上り信号の前記ブースターにおける雑音電力に基づいて前記上り信号の増幅の利得及び下り信号の増幅の利得を制御する利得制御手段とを備えたブースターにおいて、
前記下り信号の周波数を、この下り信号の周波数より低い周波数の中間周波信号に変換する第１周波数変換器及び前記上り信号の周波数をこの上り信号の周波数より低い周波数の中間周波信号に変換する第２周波数変換器と、
この第１周波数変換器及び第２周波数変換器で周波数変換した中間周波信号を前記下り信号に割当てられた帯域の信号及び上り信号に割当てられた帯域の信号にろ波する第１フィルタ及び第２フィルタと、
この第１フィルタ及び第２フィルタでろ波した信号を前記移動機に発信するための無線周波数信号及び前記基地局に発信するための無線周波数信号に変換する第３周波数変換器及び第４周波数変換器と、
を設けた構成とし、
前記第１フィルタによってろ波された信号の一部が、前記基準信号受信測定手段と、前記送信電力情報受信手段とに入力され、
前記第１周波数変換器と、第１フィルタと、第３周波数変換器と、下り可変増幅器とによって構成される下り信号伝送路と、前記第２周波数変換器と、第２フィルタと、第４周波数変換器及び上り可変増幅器とによって構成される上り信号伝送路が複数設けられ、
複数の下り信号伝送路でそれぞれが異なる帯域の信号にろ波されて増幅された下り信号は、合成器で合成され、その合成出力は、電気／光変換器で光信号に変換され、この光信号は下り光伝送線路を通じて子部に伝送され、子部において光／電気変換器で電気信号に変換され、その変換出力は対移動機アンテナに給電され、
対移動機アンテナに誘起された移動機からの上り信号は電気／光変換器で光信号に変換され、この光信号は上り光伝送線路を通じて前記ブースターに伝送され、ブースターに設けた光／電気変換器で電気信号に変換され、この電気信号は分配器に入力され、その分配器により前記複数の上り信号伝送路に分配され、分配された各上り信号は前記複数の上り信号伝送路でそれぞれが異なる帯域の信号にろ波され、増幅されて対基地局アンテナに給電される、
構成としたことを特徴とするブースター。
【請求項２】
基地局と移動機との間で送受信されるべき信号を受信し、増幅し、送信するブースターであって、
前記基地局から前記移動機への下り信号を増幅する下り可変増幅器及び前記移動機から前記基地局への上り信号を増幅する上り可変増幅器と、
前記基地局が送信した基準信号を受信し、この基準信号の前記ブースターにおける受信電力を測定する基準信号受信測定手段と、
前記基準信号の前記基地局における送信電力の情報を受信する送信電力情報受信手段と、
前記基準信号の前記基地局における送信電力、前記基準信号の前記ブースターにおける受信電力に基づいて前記上り信号の増幅の利得及び下り信号の増幅の利得を制御する利得制御手段とを備えたブースターにおいて、
前記下り信号の周波数を、この下り信号の周波数より低い周波数の中間周波信号に変換する第１周波数変換器及び前記上り信号の周波数をこの上り信号の周波数より低い周波数の中間周波信号に変換する第２周波数変換器と、
この第１周波数変換器及び第２周波数変換器で周波数変換した中間周波信号を前記下り信号に割当てられた帯域の信号及び上り信号に割当てられた帯域の信号にろ波する第１フィルタ及び第２フィルタと、
この第１フィルタ及び第２フィルタでろ波した信号を前記移動機に発信するための無線周波数信号及び前記基地局に発信するための無線周波数信号に変換する第３周波数変換器及び第４周波数変換器と、
を設けた構成とし、
前記第１フィルタによってろ波された信号の一部が、前記基準信号受信測定手段と、前記送信電力情報受信手段とに入力され、
前記第１周波数変換器と、第１フィルタと、第３周波数変換器と、下り可変増幅器とによって構成される下り信号伝送路と、前記第２周波数変換器と、第２フィルタと、第４周波数変換器及び上り可変増幅器とによって構成される上り信号伝送路が複数設けられ、
複数の下り信号伝送路でそれぞれが異なる帯域の信号にろ波されて増幅された下り信号は、合成器で合成され、その合成出力は、電気／光変換器で光信号に変換され、この光信号は下り光伝送線路を通じて子部に伝送され、子部において光／電気変換器で電気信号に変換され、その変換出力は対移動機アンテナに給電され、
対移動機アンテナに誘起された移動機からの上り信号は電気／光変換器で光信号に変換され、この光信号は上り光伝送線路を通じて前記ブースターに伝送され、ブースターに設けた光／電気変換器で電気信号に変換され、この電気信号は分配器に入力され、その分配器により前記複数の上り信号伝送路に分配され、分配された各上り信号は前記複数の上り信号伝送路でそれぞれが異なる帯域の信号にろ波され、増幅されて対基地局アンテナに給電される、
構成としたことを特徴とするブースター。
【請求項３】
請求項１又は２記載のブースターにおいて、前記電気／光変換器は前記合成器の合成出力を複数の光信号に変換し、この複数の光信号を複数の下り光伝送線路を通じて複数の子部に伝送し、各子部において光／電気変換器で電気信号に変換し、その変換出力をそれぞれ対移動機アンテナに給電すると共に、対移動機アンテナに誘起された移動機からの上り信号は各子部に設けられた電気／光変換器で光信号に変換し、この光信号を上り光伝送線路を通じてブースターに伝送し、ブースターに設けた光／電気変換器で電気信号に変換し、この電気信号を前記分配器に入力する構成としたことを特徴とするブースター。
【請求項４】
請求項１，２，３記載のブースターの何れかにおいて、対基地局アンテナがアレー状に配置され、アレー状に配置された複数の対基地局アンテナに誘起された信号の位相及びアレー状に配置された複数の対基地局アンテナに給電する信号のそれぞれの位相を調整する位相器が設けられ、この位相器の設定により前記アレー状に配置された対基地局アンテナの指向方向を設定可能としたことを特徴とするブースター。
【請求項５】
請求項１，２，３，４記載のブースターの何れかにおいて、前記下り可変増幅器及び上り可変増幅器は、前記第１フィルタ及び第２フィルタにより下り信号及び上り信号に割当てられた帯域に制限された下り信号及び上り信号を前記利得制御手段によって制御される利得に従って増幅することを特徴とするブースター利得制御方法。
【発明の詳細な説明】
【０００１】
【発明の属する技術分野】
この発明は基地局と移動機との間で送受信されるべき信号を受信し、増幅し、送信するブースター及びブースターの利得制御方法に関する。
【０００２】
【従来の技術】
本出願人は「特開２００１−６９０９１」で開示するように、基地局と移動機との間で送受信されるべき信号を受信し、増幅し、送信するブースター及びこのブースターの動作を監視する監視装置、ブースターの制御方法等を提案した。
この先に提案したブースターの特徴を簡単に説明すると、基地局とブースターとの間の伝搬損を測定し、この伝搬損に基づいて上り信号の増幅の利得及び下り信号の増幅の利得を制御する利得制御方式を採用した点である。
【０００３】
この利得制御方式を採ることにより、主にブースターの雑音が基地局に大きな影響を与えないようにすることができる利点が得られる。
また、利得の調整を行うことにより、主に送信部に必要以上のレベルの信号が入力される事態が回避されるため、信号の歪みを小さくでき、また送信部の部品の低容量化、小型化及び低消費電力化、低価格化を達することができる。
【０００４】
【発明が解決しようとする課題】
ところでブースターは基地局からの電波が届き難い僻地に設置される性格の装置であるため、異なる事業者により共用される場合が多い。複数の事業者によりブースターを共用する場合、基地局とブースター間の伝搬損は事業者ごとに異なるため、事業者ごとに適切な利得に設定するためには事業者ごとに信号を分離し、分離した信号ごとに利得を調整する必要がある。
このような場合、運用する帯域を限定し、ガードバンドを広げ、選択度の穏やかなフィルタを用いる方法があるが、適用領域が限定される。一般には隣接の事業者間のガードハンドが狭いため、各事業者が利用する信号を切り出すためには選択度の大きいフィルタが必要となる。この要求を満たすフィルタとしては超電導現象を利用した超電導フィルタを適用することが考えられるが、超電導フィルタは高価であるため、ブースターに実装するには経済的な理由から適用しにくい。
【０００５】
この発明の目的は廉価な方法で事業者間の信号の分離を実現し、各事業者ごとに適正な利得の調整を可能としたブースターの構成及びブースター利得制御方法を提案しようとするものである。
【０００６】
【課題を解決するための手段】
この発明の請求項１では、基地局と移動機との間で送受信されるべき信号を受信し、増幅し、送信するブースターであって、
前記基地局から前記移動機への下り信号を増幅する下り可変増幅器及び前記移動機から前記基地局への上り信号を増幅する上り可変増幅器と、
前記基地局が送信した基準信号を受信し、この基準信号の前記ブースターにおける受信電力を測定する基準信号受信測定手段と、
前記基準信号の前記基地局における送信電力の情報を受信する送信電力情報受信手段と、
前記上り信号増幅手段により増幅された上り信号の前記ブースターにおける雑音電力を測定する雑音電力測定手段と、
前記基準信号の前記基地局における送信電力、前記基準信号の前記ブースターにおける受信電力及び前記増幅された上り信号の前記ブースターにおける雑音電力に基づいて前記上り信号の増幅の利得及び下り信号の増幅の利得を制御する利得制御手段とを備えたブースターにおいて、
前記下り信号の周波数を、この下り信号の周波数より低い周波数の中間周波信号に変換する第１周波数変換器及び前記上り信号の周波数をこの上り信号の周波数より低い周波数の中間周波信号に変換する第２周波数変換器と、
【０００７】
この第１周波数変換器及び第２周波数変換器で周波数変換した中間周波信号を前記下り信号に割当てられた帯域の信号及び上り信号に割当てられた帯域の信号にろ波する第１フィルタ及び第２フィルタと、
この第１フィルタ及び第２フィルタでろ波した信号を前記移動機に発信するための無線周波数信号及び前記基地局に発信するための無線周波数信号に変換する第３周波数変換器及び第４周波数変換器と、
を設けた構成とし、
前記第１フィルタによってろ波された信号の一部が、前記基準信号受信測定手段と、前記送信電力情報受信手段とに入力され、
前記第１周波数変換器と、第１フィルタと、第３周波数変換器と、下り可変増幅器とによって構成される下り信号伝送路と、前記第２周波数変換器と、第２フィルタと、第４周波数変換器及び上り可変増幅器とによって構成される上り信号伝送路が複数設けられ、
複数の下り信号伝送路でそれぞれが異なる帯域の信号にろ波されて増幅された下り信号は、合成器で合成され、その合成出力は、電気／光変換器で光信号に変換され、この光信号は下り光伝送線路を通じて子部に伝送され、子部において光／電気変換器で電気信号に変換され、その変換出力は対移動機アンテナに給電され、
対移動機アンテナに誘起された移動機からの上り信号は電気／光変換器で光信号に変換され、この光信号は上り光伝送線路を通じて前記ブースターに伝送され、ブースターに設けた光／電気変換器で電気信号に変換され、この電気信号は分配器に入力され、その分配器により前記複数の上り信号伝送路に分配され、分配された各上り信号は前記複数の上り信号伝送路でそれぞれが異なる帯域の信号にろ波され、増幅されて対基地局アンテナに給電される、構成としたことを特徴とするブースターを提案する。
【０００８】
基地局と移動機との間で送受信されるべき信号を受信し、増幅し、送信するブースターであって、
前記基地局から前記移動機への下り信号を増幅する下り可変増幅器及び前記移動機から前記基地局への上り信号を増幅する上り可変増幅器と、
前記基地局が送信した基準信号を受信し、この基準信号の前記ブースターにおける受信電力を測定する基準信号受信測定手段と、
前記基準信号の前記基地局における送信電力の情報を受信する送信電力情報受信手段と、
前記基準信号の前記基地局における送信電力、前記基準信号の前記ブースターにおける受信電力に基づいて前記上り信号の増幅の利得及び下り信号の増幅の利得を制御する利得制御手段とを備えたブースターにおいて、
前記下り信号の周波数を、この下り信号の周波数より低い周波数の中間周波信号に変換する第１周波数変換器及び前記上り信号の周波数をこの上り信号の周波数より低い周波数の中間周波信号に変換する第２周波数変換器と、
【０００９】
この第１周波数変換器及び第２周波数変換器で周波数変換した中間周波信号を前記下り信号に割当てられた帯域の信号及び上り信号に割当てられた帯域の信号にろ波する第１フィルタ及び第２フィルタと、
この第１フィルタ及び第２フィルタでろ波した信号を前記移動機に発信するための無線周波数信号及び前記基地局に発信するための無線周波数信号に変換する第３周波数変換器及び第４周波数変換器と、
を設けた構成とし、
前記第１フィルタによってろ波された信号の一部が、前記基準信号受信測定手段と、前記送信電力情報受信手段とに入力され、
前記第１周波数変換器と、第１フィルタと、第３周波数変換器と、下り可変増幅器とによって構成される下り信号伝送路と、前記第２周波数変換器と、第２フィルタと、第４周波数変換器及び上り可変増幅器とによって構成される上り信号伝送路が複数設けられ、
複数の下り信号伝送路でそれぞれが異なる帯域の信号にろ波されて増幅された下り信号は、合成器で合成され、その合成出力は、電気／光変換器で光信号に変換され、この光信号は下り光伝送線路を通じて子部に伝送され、子部において光／電気変換器で電気信号に変換され、その変換出力は対移動機アンテナに給電され、
対移動機アンテナに誘起された移動機からの上り信号は電気／光変換器で光信号に変換され、この光信号は上り光伝送線路を通じて前記ブースターに伝送され、ブースターに設けた光／電気変換器で電気信号に変換され、この電気信号は分配器に入力され、その分配器により前記複数の上り信号伝送路に分配され、分配された各上り信号は前記複数の上り信号伝送路でそれぞれが異なる帯域の信号にろ波され、増幅されて対基地局アンテナに給電される、構成としたことを特徴とするブースターを提案する。
【００１０】
この発明の請求項３では、請求項１又は２記載のブースターにおいて、前記電気／光変換器は前記合成器の合成出力を複数の光信号に変換し、この複数の光信号を複数の下り光伝送線路を通じて複数の子部に伝送し、各子部において光／電気変換器で電気信号に変換し、その変換出力をそれぞれ対移動機アンテナに給電すると共に、対移動機アンテナに誘起された移動機からの上り信号は各子部に設けられた電気／光変換器で光信号に変換し、この光信号を上り光伝送線路を通じてブースターに伝送し、ブースターに設けた光／電気変換器で電気信号に変換し、この電気信号を前記分配器に入力する構成としたことを特徴とするブースターを提案する。
【００１１】
この発明の請求項４では、請求項１，２，３記載のブースターの何れかにおいて、対基地局アンテナがアレー状に配置され、アレー状に配置された複数の対基地局アンテナに誘起された信号の位相及びアレー状に配置された複数の対基地局アンテナに給電する信号のそれぞれの位相を調整する位相器が設けられ、この位相器の設定により前記アレー状に配置された対基地局アンテナの指向方向を設定可能としたことを特徴とするブースターを提案する。
【００１２】
この発明の請求項５では、請求項１，２，３，４記載のブースターの何れかにおいて、前記下り可変増幅器及び上り可変増幅器は、前記第１フィルタ及び第２フィルタにより下り信号及び上り信号に割当てられた帯域に制限された下り信号及び上り信号を前記利得制御手段によって制御される利得に従って増幅することを特徴とするブースター利得制御方法を提案する。
【００１３】
作  用
この発明で提案したブースター及びブースター利得制御方法によれば、基地局とブースターとの間の伝送損に基づいて下り信号の利得及び上り信号の利得を制御することにより得られる作用効果に加えて、下り信号及び上り信号の何れでも、これら下り信号及び上り信号の周波数より低い周波数の中間周波信号に変換し、この周波数の低い中間周波信号をフィルタでろ波する構成としたから、通常得られる回路素子のみで構成されるフィルタによって各下り信号及び上り信号に割当てられている帯域の信号にろ波することができる。この結果、下り可変増幅器及び上り可変増幅器には帯域が自己の帯域のみに制限された信号（不要波の含有率が著しく低い信号）を入力することができるから、送信部に印加する信号の電力レベルを低減することができる。
【００１４】
この結果、基地局に送られる雑音のレベルを低減することができるため、基地局における受信品質の向上が期待できる。更に送信部を構成する部品、例えば電気／光変換器の所要歪特性を低減することができるため、使用部品のコストを下げることができる利点が得られる。更に、送信電力を低減できることから歪みの少ない信号の伝送が可能となり、更に電力消費量も低減できる利点も得られる。
【００１５】
【発明の実施の形態】
図１にこの発明の第１実施形態を示す。図中１００はブースターの全体を示す。ブースター１００には一般に複数のユニットＵ１，・・・Ｕｎが実装される。各ユニットＵ１〜Ｕｎには対基地局アンテナ１０１と、アンテナ共用器１０２，第１周波数変換器１０３，第１フィルタ１０４，分配器１０５，第３周波数変換器１０６，可変増幅器１０７，第２周波数変換器１０８，第２フィルタ１０９，第４周波数変換器１１０，可変増幅器１１１，受信器１１２，利得制御器１１３とが設けられる。
【００１６】
第１周波数変換器１０３，第１フィルタ１０４，分配器１０５，第３周波数変換器１０６，可変増幅器１０７により下り信号伝送路１１４が構成される。また第２周波数変換器１０８，第２フィルタ１０９，第４周波数変換器１１０，可変増幅器１１１により上り信号伝送路１１５が構成される。
受信器１１２には分配器１０５から基地局２００が発信する下り信号が分配され、下り信号に含まれる基準信号を受信する。基地局２００から送られて来る基準信号には基地局２００における送信電力の情報となる送信電力情報が搭載され、この送信電力情報と自己の受信電力とにより各基地局２００とブースター１００との間の伝搬損を算出する。また、特に図示していないが、可変増幅器１１１の出力に発生する雑音の電力を測定する手段を備え、この雑音電力測定手段で測定した雑音電力と伝搬損が利得制御器１１３に入力され、これらのパラメータに従って利得制御器１１３は可変増幅器１０７，１１１の利得を制御し、最適なレベルの下り信号を合成器１１６に出力すると共に、最適なレベルの上り信号をアンテナ共用器１０２に出力する。これらの利得制御に関する詳細は「特開２００１−６９０９１」を参照のこと。
【００１７】
ここでは基地局から送られてくる基準信号受信手段及び基地局における送信電力情報を受信する送信電力情報受信手段、ブースターにおける受信電力測定手段雑音電力測定手段等が受信器１１２に実装されているものとして説明する。
各ユニットＵ１・・・Ｕｎで増幅された下り信号は合成器１１６に入力され、この合成器１１６で合成されて対移動機アンテナ１１７に給電される。
ここで各ユニットＵ１〜Ｕｎに設けられた第１フィルタ１０４は各事業者に割当てられた帯域の周波数をろ波するバンドパス特性に設定され、各ユニットＵ１〜Ｕｎごとに異なる帯域の信号を出力し、その帯域が異なる複数の信号を合成器１１６で合成する。
【００１８】
移動機３００から発信された上り信号は対移動機アンテナ１１８で受信され、その受信信号が分配器１１９に入力される。分配器１１９は受信信号をユニットＵ１〜Ｕｎの数に従って分配し、各ユニットＵ１〜Ｕｎに受信信号を分配する。
各ユニットＵ１・・・Ｕｎは各ユニットＵ１〜Ｕｎに割当てられた周波数帯域の信号を第２フィルタ１０９でろ波して抽出し、その上り信号を上り可変増幅器１１１で増幅し、アンテナ共用器１０２に入力する。
こゝでこの発明の特徴とする構成は、各ユニットＵ１〜Ｕｎ内に基地局２００とブースター１００間の伝搬損を測定してブースター１００における増幅の利得を調整する機能を装備していることに加えて下り信号伝送路１１４に第１周波数変換器１０３と第１フィルタ１０４及び第３周波数変換器１０６を設けた点と、上り信号伝送路１１５に第２周波数変換器１０８と、第２フィルタ１０９及び第４周波数変換器１１０を設けた点である。
【００１９】
第１周波数変換器１０３と第２周波数変換器１０８はそれぞれ下り信号の周波数を、この下り信号の周波数より低い中間周波信号に変換する動作を実行し、上り信号の周波数をこの上り信号の周波数より低い中間周波信号に変換する動作を実行する。
第１フィルタ１０４と第２フィルタ１０９は中間周波数帯の信号に変換された下り信号及び上り信号の中から自己に割当てられている帯域の信号をろ波して抽出する動作を実行する。無線周波数信号より低い周波数の信号に変換し、低い周波数帯で自己に必要な信号のみを切り出すフィルタを構成するのは比較的容易である。
【００２０】
従って、この発明によれば各ユニットＵ１〜Ｕｎにおいて、各下り信号伝送路１１４及び上り信号伝送路１１５に割り当てた周波数帯域の信号のみを第１フィルタ１０４及び第２フィルタ１０９で抽出し、この抽出した帯域の信号のみを再び第３周波数変換器１０６と第４周波数変換器１１０によって無線周波数帯の信号に戻すことにより、各ユニットＵ１〜Ｕｎに設けた可変増幅器１０７と１１１には自己に割当てられた帯域に制限された信号が入力される。
この結果、各ユニットＵ１〜Ｕｎを異なる事業者が利用する場合でも、可変増幅器１０７と１１１には他の事業者の信号が混在して入力されないから各事業者ごとに適正な利得を設定することができる。また、各ユニットＵ１〜Ｕｎに設けた可変増幅器１０７及び１１１には自己に割当てられた信号のみが入力されるから、他の事業者の信号が混在している過大な信号が入力されることがない。このため、主に可変増幅器１０７及び１１１等の増幅器の飽和出力を小さくすることができるため、使用する部品を廉価にすることが可能である。更に、電力消費量も低減することができる利点も得られる。
【００２１】
図１に示した第１の実施形態では分配器１０５を第１フィルタ１０４と第３周波数変換器１０６の間に挿入した例を示したが、図２に示す第２の実施形態では第３周波数変換器１０６と下り可変増幅器１０７の間に配置した場合を示す。図２に示したように構成しても、上述と同様の作用効果を得ることができる。
図３はこの発明の第３の実施形態を示す。この第３の実施形態では対移動機アンテナ１１７を複数の子部１２１に実装し、複数の子部１２１をブースター１００から離れた任意の位置（電波伝搬に都合がない位置）に設置できる構成とした場合を示す。
【００２２】
またこの場合、ブースター１００と子部１２１との間を光ファイバで構成した下り光信号伝送路１２２及び上り光信号伝送路１２３で接続した場合を示す。このために合成器１１６の出力側に電気／光変換器１２４を設け、この電気／光変換器１２４で合成器１１６で合成された信号を複数の光信号に変換し、この複数の光信号を下り光信号伝送路１２２を通じて複数の子部１２１に伝送し、各子部１２１に設けた光／電気変換器１２５で電気信号に戻し、この電気信号をアンテナ共用器１２６を通じて対移動機アンテナ１１７に給電する。
【００２３】
対移動機アンテナ１１７に受信された移動機３００からの上り信号は電気／光変換器１２７で光信号に変換され、この光信号は光ファイバで構成された上り光信号伝送路１２３を通じてブースター１００に送られる。
ブースター１００では光／電気変換器１２８により電気信号に変換され、その電気信号が分配器１１９に入力される。分配器１１９はブースター１００内に実装した複数のユニットＵ１〜Ｕｎに上り信号を入力し、各ユニットＵ１〜Ｕｎでは上り信号伝送路１１５により各上り信号ごとに第２フィルタ１０９で帯域を制限し、増幅器１１１で増幅して対基地局アンテナ１０１から各基地局２００に送られる。
【００２４】
このように、ブースター１００と子部１２１との間に光伝送路を介挿させる場合、従来は電気／光変換器１２４に各ユニットＵ１〜Ｕｎから各事業者ごとに帯域制限されていない下り信号が供給され、過大な電力供給量になるため、この電気／光変換器１２４には電力容量の大きい電気／光変換器を用いる必要が生じたが、この発明によれば各ユニットＵ１〜Ｕｎごとに、つまり事業者ごとに一定の帯域に制限された下り信号を供給するため、電気／光変換器１２４に印加される電力量を低減することができる。この結果、電気／光変換器１２４としては電力容量の小さい、従って廉価な部品を使うことができる利点が得られる。
【００２５】
図４は図３と同様に、ブースター１００と子部１２１との間を光伝送路を介挿した実施形態を示す。図３に示した実施形態との違いは下り信号伝送路１１４に設けた分配器１０５を第３周波数変換器１０６と可変増幅器１０７との間に配置した点と、上り信号を増幅する可変増幅器１１１を上り信号伝送路１１５の初段に配置した点である。その他の構成は図３と全く同じであるから、これ以上の説明は省略する。
図５は図３に示した実施形態において、対基地局アンテナ１０１に指向性を持たせる構成とした場合を示す。つまり、アレイ状に配置した複数の対基地局アンテナ１０１の各給電路に位相器１２９を設け、この位相器１２９により各対基地局アンテナ１０１で受信した下り信号または各対基地局１０１に給電する上り信号の位相を調整することにより、対基地局アンテナ１０１に指向性を持たせることができる。
【００２６】
なお、位相器１２９の制御は利得制御器１１３から受信電力測定値が与えられて動作する位相制御装置１３１で行うことができる。また、１３０は複数の対基地局アンテナ１０１で受信した信号を合成し、対基地局アンテナ１０１に給電する信号を分配する合成分配器である。
各ユニットＵ１〜Ｕｎの対基地局アンテナ１０１に指向性を持たせ、その指向方向を各事業者の基地局に合致させることにより、各ユニットＵ１〜Ｕｎから発信される下り信号及び上り信号に他の事業者の信号が混入する率を下げることができる。この対基地局アンテナ１０１に指向性を与えたことによる分離度の向上と、中間周波数帯に設けた第１フィルタ１０４と、第２フィルタ１１０との分離度の向上の相乗効果により、各ユニットＵ１〜Ｕｎから出力される下り信号及び上り信号に混入する不要波の混入率を更に一層低減することができる利点が得られる。
【００２７】
図６は図５に示した実施形態において、下り信号伝送路１１４に設けた分配器１０５を第３周波数変換器１０６と可変増幅器１０７の間に配置した点のみが異なるだけであるから、ここではこれ以上の説明は省略する。
図７は図１に示した実施形態において、対基地局アンテナ１０１に指向性を持たせた実施形態を示す。この実施形態でも各ユニットＵ１〜Ｕｎに設けた下り信号伝送路１１４と上り信号伝送路１１５の各中間周波数帯に第１フィルタ１０４及び第２フィルタ１０９を設けたことによる分離度の向上効果と、対基地局アンテナ１０１に指向性を持たせたことによる分離度の向上効果が相乗される利点が得られる。
【００２８】
図８は図７に示した実施形態において、分配器１０５を第３周波数変換器１０６と可変増幅器１０７との間に配置した点が異なるだけであるから、図８に関してもこれ以上の説明は省略する。
図９及び図１０はブースター１００に単一のユニットＵ１のみを搭載した実施形態を示す。ブースター１００内に単一のユニットＵ１のみが搭載されている場合でも、付近に他の事業者が同様のブースターを設置したとすると、上述と同様に自己の帯域に隣接して他の事業者の電波が存在することになる。このために、単一のユニットＵ１のみを搭載したブースター１００であっても、そのユニットＵ１に割り当てられた帯域の信号をろ波して取り出し、送信する機能を持つことが望ましい。
【００２９】
従って、この場合でも図９及び図１０に示すように、下り信号伝送路１１４に第１周波数変換器１０３−第１フィルタ１０４−第３周波数変換器１０６とから成るろ波回路と、上り信号伝送路１１５にも第２周波数変換器１０８−第２フィルタ１０９−第４周波数変換器１１０とから成るろ波回路を設けることと、対基地局アンテナ１０１に指向性を与える構成を付加し、他事業者の信号の混入を阻止する構成としている。なお、図９と図１０との違いは分配器１０５の位置の違いのみである。
【００３０】
図１１はブースター１００の送信部に複数の送信端子１３２を設け、この複数の送信端子１３２に複数の対移動機アンテナ１１７を接続する構成とした場合を示す。各送信端子１３２にはレベル調整器１３５と位相器１３３と増幅器１３４を通じて下り信号を印加し、レベル調整器１３５により対移動機アンテナ１１７に給電する下り信号をレベルを揃えることができる構成としている。また位相器１３３により複数の対移動機アンテナ１１７に給電する下り信号の位相を調整することにより、放射パターン（指向性）を任意に設定可能としている。
【００３１】
図１１に示したように、対移動機アンテナ１１７を複数にすることにより、増幅器１３４は各１台当たりの飽和出力を小さくすることが可能となるため、装置規模の増加を最小限に抑えつつ、大出力の装置を実現することが可能となる。
図１２及び図１３は、図１１示した複数の送信端子１３２を単一のユニットＵ１のみを搭載したブースター１００に適用した実施形態を示す。
この場合でも複数の送信端子１３２を装備することにより対移動機アンテナ１１７を複数設けることができる。このため、単一のユニットだけのブースター１００であっても、対移動機アンテナ１１７を複数に分岐することにより装置規模の増大を抑えつつ、大出力化を実現することができる利点が得られる。
なお、図１２と図１３の違いは下り信号伝送路１１４に設けた分配器１０５の配置のみである。
【００３２】
図１４は図１１で説明した複数の送信端子１３２を設けた構成に対基地局アンテナ１０１に指向性を持たせた実施形態を示す。
この実施形態によれば対基地局アンテナ１０１に与えた指向性による他事業者との分離効果と中間周波数帯での第１フィルタ１０４及び第２フィルタ１１０による分離効果の相乗と共に、対移動機アンテナ１１７を複数に分岐することによる装置規模の増大を抑えつつ、大出力化を実現することができる効果が得られる。
図１５及び図１６は単一ユニットＵ１を搭載したブースター１００に図１４に示した実施形態を適用した実施形態を示す。この実施形態でも図１４に示した実施形態と同様の作用効果が得られる。なお、図１５と図１６の違いは下り信号伝送路１１４に設けた分配器１０５の配置のみである。
【００３３】
【発明の効果】
以上説明したように、この発明によれば基地局とブースターとの間の伝搬損を測定し、その伝搬損に従って利得を調整する機能を備えたブースターにおいて、下り信号及び上り信号の各伝送路に下り信号及び上り信号の周波数より低い周波数の中間周波数帯に変換する周波数変換器１０３，１０８を設け、この周波数変換器１０３，１０８で周波数変換した信号を第１フィルター１０４と第２フィルター１０９でろ波する構成としたから、低い周波数帯でのろ波特性は廉価なフィルターでも充分急峻な特性を得ることができる。従って他の事業者の信号を充分に除去し、周波数帯域を充分制限した信号を可変増幅器１０７，１１１に印加して利得制御を施す利得制御方法を採ることができるから、可変増幅器１０７及び１１１に過大な信号が入力されることがなく、歪みの発生を抑制することができる。しかも過大な信号が入力されることがないから可変増幅器１０７，１１１の飽和出力も小さくすることができる。
【００３４】
更に、合成器の出力側に電気／光変換器１２４を配置する場合には、この電気／光変換器１２４に過大な電気信号が印加されることがなくなるため、必要以上に大きいレベルの入力に対して歪みを発生させない高価な部品を用いなくても済む利点が得られる。
【図面の簡単な説明】
【図１】この発明の基本的な実施形態を説明するためのブロック図。
【図２】図１に示した実施形態の変形例を説明するためのブロック図。
【図３】図１に示した実施形態に光伝送部を付加した実施形態を説明するためのブロック図。
【図４】図３に示した実施形態の変形例を説明するためのブロック図。
【図５】図３に示した実施形態において、対基地局アンテナに指向性を持たせた実施形態を説明するためのブロック図。
【図６】図５の変形例を説明するためのブロック図。
【図７】図１に示した実施形態において、対基地局アンテナに指向性を持たせた実施形態を説明するためのブロック図。
【図８】図７の変形例を説明するためのブロック図。
【図９】単一のユニットを搭載したブースターにこの発明を適用した実施形態を示すブロック図。
【図１０】図９の変形例を説明するためのブロック図。
【図１１】この発明によるブースターに複数の送信端子を設けた実施形態を説明するためのブロック図。
【図１２】単一のユニットを搭載したブースターに複数の送信端子を設け、更に対基地局アンテナに指向性を持たせた実施形態を説明するためのブロック図。
【図１３】図１２の変形例を説明するためのブロック図。
【図１４】図２に示した実施形態において複数の送信端子を設けた構成と、対基地局アンテナに指向性を持たせた実施形態を説明するためのブロック図。
【図１５】単一のユニットを搭載したブースターに複数の送信端子を設けた構成と、対基地局アンテナに指向性を持たせた構成を付加した実施形態を説明するためのブロック図。
【図１６】図１５の変形例を説明するためのブロック図。
【符号の説明】
１００    ブースター            １１７，１１８    対移動機アンテナ
Ｕ１，Ｕｎ    ユニット                      １１９    分配器
１０１    対基地局アンテナ              １１９′  分配合成器
１０２    アンテナ共用器                １２１    子部
１０３    第１周波数変換器              １２２    下り光信号伝送路
１０４    第１フィルタ                  １２３    上り光信号伝送路
１０５    分配器                １２４，１２７    電気／光変換器
１０６    第３周波数変換器      １２５，１２８    光／電気変換器
１０７    下り可変増幅器                １２６    共用器
１０８    第２周波数変換器              １２９    位相器
１０９    第２フィルタ                  １３０    合成分配器
１１０    第４周波数変換器              １３１    位相制御装置
１１１    上り可変増幅器                １３２    送信端子
１１２    受信器                        １３３    位相器
１１３    利得制御器                    １３４    増幅器
１１４    下り信号伝送路                １３５    レベル調整器
１１５    上り信号伝送路
１１６    合成器
１１６′  合成分配器
【図１】
0003973385.tif 000002
【図２】
0003973385.tif 000003
【図３】
0003973385.tif 000004
【図４】
0003973385.tif 000005
【図５】
0003973385.tif 000006
【図６】
0003973385.tif 000007
【図７】
0003973385.tif 000008
【図８】
0003973385.tif 000009
【図９】
0003973385.tif 000010
【図１０】
0003973385.tif 000011
【図１１】
0003973385.tif 000012
【図１２】
0003973385.tif 000013
【図１３】
0003973385.tif 000014
【図１４】
0003973385.tif 000015
【図１５】
0003973385.tif 000016
【図１６】
0003973385.tif 000017